(57)【要約】梁、パネル部材、敷石などを正確な縁部整列関係に水平面に支持する調整可能台座（１０）。台座は基部ブロック（１２）と、スクリュージャッキ式に台座上面の高さを調整するために互いに相対回転可能に相互係合するネジ切りされた多数の環状要素（２０，３０）とを備える。傾斜補償器は、台座上面に位置する傾斜調整プレート（１００）と、ヘッド部材（５０）とを備える。ヘッド部材（５０）は凹面を有し、傾斜調整プレート（１００）は同一の曲率半径を有する凸面を有してヘッド部材上に載置される。台座（１０）は、１％のインクリメント毎に０％〜５％の調整を可能にするように調整される。ヘッド部材は中心孔（５６）と、螺旋状に配置された多数の孔（７２）を有する。傾斜調整プレートは、中心孔（５６）から垂下する中心筒部（１１０）と、一対の垂下ペグ（１３２，１３４）とを有する。
2009513848.tif 000002
【特許請求の範囲】
【請求項１】
上昇床構造のパネル部材を支持するように構成された調整可能台座であって、
前記調整可能台座は高さ調整可能な支持機構を備え、前記支持機構は基部要素とヘッドアセンブリを備え、前記基部要素は基部平面を有し、前記基部平面には前記支持機構が使用時に立設され、
前記ヘッドアセンブリはヘッド部材と傾斜調整プレートを備え、
前記ヘッド部材は、典型的に凹状且つ部分的に球状である第１部分球面を有し、前記第１部分球面は第１曲率半径を有し、
前記傾斜調整プレートは第１面と対向面を有し、前記第１面は平面領域を有し、前記対向面は典型的に凸状且つ部分的に球状である第２部分球面を有し、前記第２部分球面は前記第１部分球面と実質的に同一の曲率半径を有し、前記第２部分球面は前記第１部分球面によって支持可能であり、
前記第１部分球面上における前記第２部分球面の相対運動は、前記基部平面に対する前記傾斜調整プレートの前記平面領域の角度を調整し、
前記ヘッド部材と前記傾斜調整プレートは協働固定手段を構成し、前記協働固定手段は前記傾斜調整プレートを前記ヘッド部材に対して複数の異なる相対的な向きに固定可能である、調整可能台座。
【請求項２】
前記傾斜調整プレートの傾斜の調整は、前記第２部分球面の曲率中心回りに前記傾斜調整プレートを回転させることによって行われる、請求項１記載の調整可能台座。
【請求項３】
前記傾斜調整プレートは少なくとも１つの垂下ペグを有し、前記ヘッド部材は前記垂下ペグをそれぞれ受容する多数の孔を有し、これら前記孔の列は前記ヘッド部材の上面の中心回りに延びる、請求項１または２記載の調整可能台座。
【請求項４】
前記多数の孔は螺旋曲線上に位置する、請求項３記載の調整可能台座。
【請求項５】
前記ヘッド部材は中心に大円孔を有し、前記大円孔の周縁から半円形スカートが垂下する、請求項１〜４の何れか一項に記載の調整可能台座。
【請求項６】
前記傾斜調整プレートの中心は、前記ヘッド部材の中心の前記大円孔よりも小さな小円孔を有し、
前記傾斜調整プレートの下面から円形スカートが垂下し、前記円形スカートは前記小円孔を包含し、
前記円形スカートの中心は、前記傾斜調整プレートの前記小円孔の中心からオフセットする、請求項５記載の調整可能台座。
【請求項７】
前記円形スカートの下部から、突出タブが外方に延びる、請求項６記載の調整可能台座。
【請求項８】
前記ヘッド部材の周縁には、更なる部分球面である凹状の第１追加部分球面がリング状に延び、前記第１追加部分球面は前記第１部分球面と曲率中心が同心であるが、より大きな曲率半径を有する、請求項１〜７の何れか一項に記載の調整可能台座。
【請求項９】
前記傾斜調整プレートの周縁には、凸状の第２追加部分球面がリング状に延び、前記第２追加部分球面は前記第２部分球面と曲率中心が同心であるが、より大きな曲率半径を有する、請求項８記載の調整可能台座。
【請求項１０】
前記ヘッド部材において前記第１部分球面と前記第１追加部分球面の間には、環状のフ
ランジと多数の放射状の強化リブとが延び、
前記フランジには、前記ヘッド部材における水の蓄積を防止するために多数の排水孔が形成される、請求項８または９記載の調整可能台座。
【請求項１１】
前記傾斜調整プレートは平面視で略円形である、請求項１〜１０の何れか一項に記載の調整可能台座。
【請求項１２】
前記傾斜調整プレートの上面は、前記傾斜調整プレートの中心を通過する十字溝によって印を付けられ、
前記十字溝の各々の端部には、前記傾斜調整プレートの上面の周縁を越えて突出する短片が形成され、前記短片にはワイヤや糸を前記調整可能台座に結束するための孔が形成される、請求項１１記載の調整可能台座。
【請求項１３】
前記十字溝の１つの短片には、使用時に前記調整可能台座が載置される床の傾斜方向を矢印または短片が指し示すように印を付けられる、請求項１２記載の調整可能台座。
【請求項１４】
多数の特定形状孔が前記傾斜調整プレートに形成され、
前記特定形状孔に対応する形状の突起が、前記特定形状孔の１つに入るように前記ヘッド部材から上方に突出し、
前記ヘッドアセンブリによって提供される傾斜補償の程度は、前記突起がどの特定形状孔に位置するかによって示される、請求項１〜１３の何れか一項に記載の調整可能台座。
【請求項１５】
上昇床構造のパネル部材を支持するように構成された調整可能台座に用いられる傾斜調整可能なヘッドアセンブリであって、前記ヘッドアセンブリはヘッド部材と傾斜調整プレートを含み、
前記ヘッド部材は、典型的に凹状且つ部分的に球状である第１部分球面を有し、前記第１部分球面は第１曲率半径を有し、
前記傾斜調整プレートは第１面と対向面を有し、前記第１面は平面領域を有し、前記対向面は典型的に凸状且つ部分的に球状である第２部分球面を有し、前記第２部分球面は前記第１部分球面と実質的に同一の曲率半径を有し、第２部分球面は前記第１部分球面によって支持可能であり、
前記第１部分球面上における前記第２部分球面の相対運動は、基部平面に対する前記傾斜調整プレートの前記平面領域の角度を調整し、
前記ヘッド部材と傾斜調整プレートは協働固定手段を構成し、前記協働固定手段は前記傾斜調整プレートを前記ヘッド部材に対して複数の異なる相対的な向きに固定可能である、ヘッドアセンブリ。
【請求項１６】
前記傾斜調整プレートの傾斜の調整は、前記第２部分球面の曲率中心回りに前記傾斜調整プレートを回転させることによって行われる、請求項１５記載のヘッドアセンブリ。
【請求項１７】
前記傾斜調整プレートは少なくとも１つの垂下ペグを有し、前記ヘッド部材は前記垂下ペグをそれぞれ受容する多数の孔を有し、これら前記孔の列は前記ヘッド部材の上面の中心回りの曲線に延びる、請求項１５または１６記載のヘッドアセンブリ。
【請求項１８】
前記多数の孔は螺旋曲線上に位置する、請求項１７記載のヘッドアセンブリ。
【請求項１９】
上昇床構造のパネル部材を支持するように構成された調整可能台座であって、前記調整可能台座は、高さ調整可能な支持機構とロックリングを有し、
前記支持機構は基部要素、ヘッドアセンブリ、および少なくとも１つのスペーサ要素を備え、
前記ヘッドアセンブリはパネル部材を支持可能であり、前記支持機構は使用時に立設される平面を有し、前記スペーサ要素は前記基部要素と前記ヘッドアセンブリの間に位置し、
前記基部要素は開放上面を有し、前記基部要素の内面は前記スペーサ要素の下部を受容するようにネジ切りされ、前記スペーサ要素の前記下部が前記基部要素の内面に螺合することによって、前記基部要素と前記スペーサ要素の相対回転は前記調整可能台座の高さを調整し、
前記ロックリングは前記スペーサ要素の外面ネジ部に位置し、前記スベーサ要素が回転することによって前記ロックリングは移動し、前記ロックリングは前記基部要素の上面に接触するか、またはスベーサ要素が複数の場合に別のスペーサ要素に接触し、その結果、前記基部要素と前記スペーサ要素の相対運動を低減または防止する、調整可能台座。
【請求項２０】
上昇床構造のパネル部材を支持するように構成された調整可能台座であって、前記調整可能台座は高さ調整可能な支持機構を備え、前記支持機構は基部要素、ヘッドアセンブリ、および少なくとも１つのスペーサ要素を備え、
前記ヘッドアセンブリはパネル部材を支持可能であり、前記支持機構は使用時に立設される平面を有し、前記スペーサ要素は前記基部要素と前記ヘッドアセンブリの間に位置し、
前記基部要素は開放上面を有し、前記基部要素の内面は前記スペーサ要素の下部を受容するようにネジ切りされ、前記スペーサ要素の前記下部が前記基部要素の内面に螺合することによって、前記基部要素と前記スペーサ要素の相対回転は前記調整可能台座の高さを調整し、
前記基部要素と、実質的に開放された前記スペーサ要素の内部は、約８ｍｍ、１０ｍｍ、または２０ｍｍの直径の比較的大きな材料を許容することによって、前記スペーサ要素の上面から底部まで阻害されずに通過可能であり、よって前記材料は前記ヘッドアセンブリが取除かれた状態で前記調整可能台座を下って前記基部要素まで通過可能である、調整可能台座。
【請求項２１】
前記調整可能台座は複数のバラストによって満たされ、前記バラストのうちの少なくとも幾つかは８ｍｍ以上の直径を有する、請求項２０記載の調整可能台座。
【請求項２２】
前記調整可能台座はコンクリートによって満たされる、請求項２０記載の調整可能台座。
【発明の詳細な説明】
【技術分野】
【０００１】
本発明は、上昇床のための台座用の傾斜補償器に関する。
【背景技術】
【０００２】
上昇床または揚床を提供することが知られており、台座床として知られる。上昇床張り材は、複数階のコンクリート床、屋根、テラス、または上昇床を配置することが望まれる箇所の上面の他の面のような地下（地階）に亘って均一に分散される多数の高さ調整可能台座を組込む。台座床の他の非消費的な用途は、研究所用の技術的な床、古いビルを整備するもの、テラス、バルコニー、スイミングプール周縁、およびデッキ材を含む。台座は、敷石のような床パネルまたは他の床表面の支持と協働する。パネル部材は、比較的平坦で高強度の床を提供する。
【発明の開示】
【発明が解決しようとする課題】
【０００３】
水が流れ落ちるのを可能にすべく、５％以内の角度で傾斜する典型的には屋上テラスのようにそれ自体水平ではない地階（地下）に揚面を形成する場合、以下の問題が生じる。
傾斜を補償する手段を備えた高さ調整可能台座は、傾斜の問題に対処するものとして知られるが、傾斜調整を組込んだ既存の台座は、使用と調整にやや厄介な傾向を示す。既存のシステムに伴う１つの共通の問題点は、傾斜補償が提供される場合、台座のヘッド部材が、地下の傾斜に対してどの方向に向いているかが必ずしも直ちに明白であるとは限らないことである。
【０００４】
既存の台座ジャッキに関する更なる問題は、台座の安定性である。これは台座に、厄介で乱雑な、うまくいかないワイヤを結束することによって対処されるものであり、現状ではいささか不十分である。
【０００５】
本明細書に含まれる文献、法令、材料、装置、物品などについてのいかなる議論も、もっぱら本発明に対する状況を提供する目的のためにある。これらの問題のうちのいずれかまたはすべてが、先行技術の台座の一部を形成するか、またはそれがこの出願の各請求項の優先日の前に存在するような、本発明に関連する分野における共通の一般的知識であったという自認として取られるべきものではない。
【課題を解決するための手段】
【０００６】
本発明によれば、上昇床構造のパネル部材を支持するように構成された調整可能台座が提供される。調整可能台座は、高さ調整可能な支持機構を備える。支持機構は、基部要素とヘッドアセンブリを備える。基部要素は、支持機構が使用時に立設される平面を有する。ヘッドアセンブリは、ヘッド部材と傾斜調整プレートを具備する。
【０００７】
ヘッド部材は、典型的に凹状且つ部分的に球状の第１部分球面を有する。第１部分球面は第１曲率半径を有する。傾斜調整プレートは第１面と対向面を有する。第１面は平面領域を有する。対向面は、典型的に凸状且つ部分的に球状の第２部分球面を有する。第２部分球面は第１部分球面と実質的に同一の曲率半径を有する。第２部分球面は第１部分球面によって支持可能である。第１部分球面上における第２部分球面の相対運動は、基部平面に対する傾斜調整プレートの平面領域の角度を調整する。ヘッド部材と傾斜調整プレートは、協働固定手段を構成する。協働固定手段は、傾斜調整プレートを、ヘッド部材に対して複数の異なる相対的な向きに固定可能である。
【０００８】
傾斜補償を提供するために第１部分球面と第２部分球面という２つの曲面を使用することは、第２部分球面の曲率中心回りに傾斜調整プレートを回転させることによって傾斜調整プレートの傾斜を比較的簡単に調整することを可能にする。
【０００９】
特に好ましい実施形態では、傾斜調整プレートは、少なくとも１つの垂下ペグを有する。ヘッド部材は、垂下ペグをそれぞれ受容する多数の孔を有する。これら孔の列は、ヘッド部材の上面の中心回りに延びる。この好ましい実施形態では孔は、ヘッド部材の中心から等距離ではないが、むしろヘッド部材上における傾斜調整プレートの相対運動を説明するために、緩やかな螺旋曲線上に位置する。
【００１０】
最も好ましくは、比較的大きな大円孔が、ヘッド部材の中心に形成される。大円孔の周縁から、半円形スカートが垂下する。更に、傾斜調整プレートの中心には、比較的小さな小円孔も形成される。小円孔を包含する傾斜調整プレートの（下面の）凸面から、大きな直径の円形スカートが垂下する。円形スカートの中心は、傾斜調整プレートの小円孔の中心からオフセットする。円形スカートの下部から、突出タブが外方に延びる。
【００１１】
台座床の設置者は、傾斜調整プレートの小円孔に指または親指を挿入した状態で、傾斜調整プレートを上昇、回転、および下降させることによって、ヘッド部材に対する傾斜調整プレートの相対的な向きを調整可能である。突出タブと半円形スカートは、ヘッドアセンブリの組立不良と調整不具合を防止することを支援する。
【００１２】
十分な強度と負荷支持面積を有する台座を提供すべく、ヘッド部材と傾斜調整プレートの両方は、負荷を分散するために使用時に互いを支持し合う追加部分球面を有することが好ましい。特に、ヘッド部材の縁部領域は、ヘッド部材の周縁にリング状に延びる第１追加部分球面を具備可能である。第１追加部分球面は、第１部分球面の曲率中心と同心であるが、より大きな曲率半径を有する。同様に、傾斜調整プレートの縁部領域は、傾斜調整プレートの周縁にリング状に延びる凸状の第２追加部分球面を有する。第２追加部分球面は、第２部分球面の曲率中心と同心であるが、より大きな曲率半径を有する。この構成は、台座によって支持されるいかなる負荷をも共有する第１部分球面と第２部分球面に加えて、傾斜調整プレートとヘッド部材の外縁部における第２負荷支持を提供する。
【００１３】
ヘッド部材において第１部分球面と第１追加部分球面の間には、環状フランジと、多数の放射状の支持リブとが延びることが可能である。ヘッド部材内の水の蓄積を防止するために、フランジには多数の貫通孔が形成可能である。
【００１４】
傾斜調整プレートは、平面視において典型的に略円形である。好ましくは傾斜調整プレートの上面は、傾斜調整プレートの中心を通過する十字溝によって印付けられる。十字溝は、典型的には比較的浅い溝の形態である。十字溝の各々の端部には、短片を形成可能である。短片は、傾斜調整プレートの上面の周縁を越えて突出する。短片には、ワイヤや糸などを台座に結束するための孔を形成可能である。
【００１５】
好ましくは十字溝の１つの線（辺）は、使用中であることを示すために、矢印と「上り傾斜」などによって明白に印付けられる。矢印（辺）は、地階の傾斜の上方向を指し示すべきである。
【００１６】
好ましい実施形態では傾斜調整プレートには、多数（典型的には６個）の特定形状孔（たとえば三角形孔）であることが可能である。対応する形状の突起が、６個の特定形状孔のうちの１つに入るように、ヘッド部材から上方に突出する。ヘッドアセンブリによって提供される傾斜補償の程度は、突起がどの特定形状孔に位置するかによって示される。ヘッドアセンブリによって提供される傾斜補償の程度は、１％のインクリメント毎に、典型
的には０％〜５％である。突起は、最も好ましくは傾斜調整プレートの色と対照をなす色である。０番〜５番は、傾斜補償のパーセンテージを提供する特定形状孔に隣接して、典型的には傾斜調整プレート上に記載される。
【００１７】
軽量化と十分な強度との組合せを提供するため、台座は典型的にはポリプロピレンのようなプラスチック材料によって射出成形される。また台座には、他の適切な材料または製造方法を使用することもできる。
【００１８】
関連する態様では本発明は、調整可能なヘッドアセンブリを提供する。ヘッドアセンブリは、上昇床構造のパネル部材を支持するように構成された調整可能台座に用いられる。ヘッドアセンブリは、ヘッド部材と傾斜調整プレートを備える。
【００１９】
ヘッド部材は、典型的に凹状且つ部分的に球状な第１部分球面を有する。第１部分球面は第１曲率半径を有する。傾斜調整プレートは第１面と対向面を有する。第１面は平面領域を有する。対向面は、典型的に凸状且つ部分的に球状の第２部分球面を有する。第２部分球面は第１部分球面と実質的に同一の曲率半径を有する。第２部分球面は、第１部分球面によって支持可能である。第１部分球面上における第２部分球面の相対運動は、基部平面に対する傾斜調整プレートの平面部分の角度を調整する。ヘッド部材と傾斜調整プレートは、協働固定手段を構成する。協働固定手段は、傾斜調整プレートを、ヘッド部材に対して複数の異なる相対的な向きに固定可能である。
【００２０】
更なる態様では本発明は、上昇床構造のパネル部材を支持するように構成された調整可能台座を提供する。調整可能台座は、高さ調整可能な支持機構を備える。支持機構は、基部要素、ヘッドアセンブリ、および少なくとも１つのスペーサ要素を有する。ヘッドアセンブリは、パネル部材などを支持する。支持機構は、使用時に立設される平面を有する。スペーサ要素は、基部要素とヘッドアセンブリの間に位置する。基部要素は開放上面を有する。基部要素の内面は、スペーサ要素の下部を受容するようにネジ切りされる。つまりスペーサ要素の下部の外面は、基部要素の内面のネジ部に係合するようにネジ切りされる。その結果、基部要素とスペーサ要素の相対回転は、台座高さを調整する。スペーサ要素の外面ネジ部には、ロックリングが位置する。スペーサ要素が回転することによってロックリングは移動し、その結果ロックリングは、基部要素の上面に接触するか、またはスペーサ要素が複数ある場合に別のスペーサ要素の上面に接触する。よってロックリングは、基部要素とスペーサ要素の相対運動を低減または防止する。
【００２１】
ロック要素は、台座の安定性を顕著に増加させる利点を有する。
ヘッドアセンブリは更に、本発明の先に記述した態様を具現化するヘッド部材と傾斜調整プレートを備えることが可能である。
【００２２】
安定性の更なる改良を提供するため、更なる態様では本発明は、上昇床構造のパネル部材を支持するように構成された調整可能台座を提供する。調整可能台座は、高さ調整可能な支持機構を備える。支持機構は、基部要素、ヘッドアセンブリ、および少なくとも１つのスペーサ要素を備える。ヘッドアセンブリは、パネル部材などを支持する。支持機構は、使用時に立設される平面を有する。スペーサ要素は、基部要素とヘッドアセンブリの間に位置する。基部要素は開放上面を有する。基部要素の内面は、スペーサ要素の下部を受容するようにネジ切りされる。スペーサ要素の下部の外面は、基部要素の内面のネジ部に係合するようにネジ切りされる。その結果、基部要素とスペーサ要素の相対回転は、台座高さを調整する。基部要素と、実質的に開放されたスペーサ要素の内部とは、約８ｍｍ、典型的には１０ｍｍ、または２０ｍｍ以上の直径の比較的大きな材料を許容し、スペーサ要素の上面から底部まで阻害されずに通過可能である。そのため、ヘッドアセンブリが取外された状態で、前記材料が台座を下って基部要素まで通過可能である。
【００２３】
調整可能台座は、スペーサ要素の内径の最も狭い約８０ｍｍの部分まで、バラストによって満たされることが可能である。それらバラストのうちの少なくとも幾らかは、８ｍｍ以上、または１ｃｍ以上、または２ｃｍ以上の直径を有する。
【００２４】
調整可能台座は、改善された強度と耐久性のために台座によって囲まれるコンクリート柱を生成すべく、コンクリートによって満たされることが可能である。
この明細書の全体に亘って、単語「備える（ｃｏｍｐｒｉｓｅ）」、または「備える（ｃｏｍｐｒｉｓｅｓ）」もしくは「備える（ｃｏｍｐｒｉｓｉｎｇ）」のような変形は、記述した要素、整数またはステップ、要素群、複数の整数または複数のステップの包含を意味するが、任意の他の要素、整数またはステップ、要素群、複数の整数または複数のステップの排除を意味すると理解されるものではない。
【００２５】
本発明の特定のものが、例としてのみ、そして添付の図面に関してここでは記述されるであろう。
【発明を実施するための最良の形態】
【００２６】
図面を参照して、図１は、分解組立図の図２ａと図２ｂにおいても見られることができる多数の構成要素を備えた本発明を具現化する、傾斜調整を組込んだ高さ調整可能な調整可能台座１０を示す。調整可能台座１０は基部要素１２を有する。基部要素１２は、基部プレート１４と筒部１６を有する。基部プレート１４は、調整可能台座１０が使用時に立設される平面を有する円形平面である。筒部１６は、基部要素１２から上方に延びる。基部要素１２は、水が溜まるのを最小限にするように縁部がない。多数の孔１７は、基部要素１２を基材にボルト止めまたは固定するように基部要素１２に形成される。筒部１６は、内面をネジ切りされる。多数の略三角形の垂直ウェブ１８は、基部プレート１４から筒部１６の外に延びる。排水孔１９ａは、特に基部要素１２が傾いた場合に水の蓄積を防止するように垂直ウェブ１８間の排水用に提供される。図２ｂは、排水孔１９ａから縁に延びた排水通路１９ｂを更に示しており、基部要素１２の下面に集まる如何なる水も流れ出す。
【００２７】
図１に示すように、外面をネジ切りされた円筒状の第１スペーサ要素２０は、基部要素１２に螺合する。図２ａと図２ｂに最も良く見えるように、第１スペーサ要素２０は、環状断面と、略開放された基部２２とを有する。第１スペーサ要素２０の内面上部は、ネジ切りされる。第１スペーサ要素２０の上面にはフランジ２４があり、フランジ２４から多数のツマミ２６が突出する。ツマミ２６は、ワイヤが通過して装着可能にする貫通孔を有する。環状の第１ロックリング２１は、第１スペーサ要素２０の外面ネジに螺合し、外面ネジを上下に移動するように回転できる。第１ロックリング２１は、第１ロックリング２１を回すために掴むことができる多数の突出したツマミ２１ａを有する。第１ロックリング２１が下へ移動され、その結果、第１ロックリング２１が基部要素１２の上面に接する場合、第１ロックリング２１と基部要素１２の間の接触（干渉）は安定性を生じ、基部要素１２内における第１スペーサ要素２０の動揺を防止する。
【００２８】
第２ロックリング２８は、第１スペーサ要素２０に螺合する更なる円筒状の第２スペーサ要素３０に対しての第１スペーサ要素２０の意図しない回転を防止するように設けられる。第２ロックリング２８は、突出したツマミ２８ａを有し、ツマミ２８ａは必要に応じて、ワイヤなどがそれを通過して装着可能な孔を有する。第２ロックリング２８は、第２スペーサ要素３０の外面ネジを上下に移動するために回転可能である。第２ロックリング２８が下に移動して第１スペーサ要素２０のフランジ２４に接する場合、第１スペーサ要素２０と第２ロックリング２８の間の接触（干渉）は安定性を生じ、第１スペーサ要素２０内における第２スペーサ要素３０の動揺を防止する。
【００２９】
第２スペーサ要素３０は略環状断面を有する。第２スペーサ要素３０は、第１スペーサ要素２０内に位置するようにネジ切りされた外面を有する下部３２と、更に大きな直径を有しネジ切りされた内面を有する上部３４とを備える。第２スペーサ要素３０の基部は、実質的に開放する。
【００３０】
更なるロックリングとしての第２ロックリング２８は、詳述されるように、ヘッド部材５０と垂下筒部５４の間に配置される。垂下筒部５４の外面は、第２スペーサ要素３０の上部３４の内面に螺合するようにネジ切りされる。傾斜調整プレート１００は、繰返すが、詳述されるヘッド部材５０の上部５２の上面に位置する。十字形の敷石セパレータ１５０は、傾斜調整プレートの上部の小円孔１０８にスナップ嵌合する。
【００３１】
それらの要素は、最小約６０ｍｍから約１０５０ｍｍまで高さが変動できる入れ子式の高さ調整可能なジャッキを共に構成する。出来る限り低い調整可能台座１０では第２スペーサ要素３０は省略され、ヘッド部材５０が第１スペーサ要素２０に直接的に螺合される。高さ調整は、第１スペーサ要素２０内におけるヘッド部材５０の相対回転と、基部要素１２内における第１スペーサ要素２０の相対回転とによって得られる。
【００３２】
更に大きい高さが必要な場合、第２スペーサ要素３０は、図１に示したように使用される。更に高さが必要な場合、複数の第２スペーサ要素３０を使用できる。
使用時に、交差する並列糸線のグリッドが、台座床が配置される地下（地階）の上面に配置可能である。糸線間の間隔は、パネル部材同士の間の任意の僅かな間隙を許容する敷石のような床パネル部材の幅に対応するであろう。調整可能台座１０は、各交差上に位置する。調整可能台座１０の高さは、下にある地階の任意の傾斜を補償するように調整され、その結果、台座床が必要に応じて水平になる。しかし、当然のことながら、調整可能台座１０のヘッド部材５０が調整可能台座１０の垂直軸に対して直交する場合、つまりヘッド部材５０が基部要素１２に対して平行な場合、敷石は調整可能台座１０上に均一には載らない。従って地階が水平ではなく傾斜するような状況に対処するために、調整可能台座１０に対する傾斜補償と高さ調整を提供する必要がある。
【００３３】
図３〜図１１は、本発明の傾斜補償ヘッドアセンブリの特徴を示す。上で議論したように、アセンブリは、２つの構成要素、図３と図４に示す傾斜調整プレート１００と、図５に示すヘッド部材５０とを備える。
【００３４】
図５に最も良く示すように、ヘッドアセンブリはヘッド部材５０を備える。ヘッド部材５０から垂下する垂下筒部５４は、ネジ切りされた外面を有する。ヘッド部材５０の中心は大円孔５６を有する。大円孔５６の周縁には、第１部分球面５８が延びる。第１部分球面５８は、大円孔５６の周縁（周辺）と、同心円６０との間に延びる。フランジ６２は、第１部分球面５８の周縁と、外方の第１追加部分球面６４の内周縁との間で、リング状に延びるバンドの形態を有する。第１追加部分球面６４は、ヘッド部材５０の周縁に位置する凹状の部分球面である。フランジ６２は、第１部分球面５８の外縁部から僅かに窪む。多数の放射状に整列された強化リブ６６は、大円孔５６の周縁（周辺）から第１追加部分球面６４まで延びる。フランジ６２には、互いに隣接した強化リブ６６同士の間に、多数の排水孔６７が水の蓄積を防止するために貫通孔として形成される。
【００３５】
半円形スカート６８（図９も参照）は、大円孔５６の周縁から垂下する。
略三角形の断面を有した突起としての三角ポスト７０は、フランジ６２と、第１追加部分球面６４とがほぼ交わるヘッド部材５０の部分から上方に延びる。
【００３６】
多数（１２個）の略円形の孔である位置決定孔７２は、第１部分球面５８を通過して延
びる。使用時に位置決定孔７２は、更に詳述される傾斜調整プレート１００から垂下する２つの径方向に対向した垂下ペグ１３２，１３４のうちの１つを受容可能である。位置決定孔７２は、外観上は一見して同様であるが、実際には、位置決定孔７２の軸は僅かに異なっており、対向した位置決定孔７２のペアは、０％補償から調整可能台座１０の垂直軸に対してオフセットされて、ヘッド部材５０上の傾斜調整プレート１００の様々な向きを補償する。２つの垂下ペグ１３２，１３４があり、位置決定孔７２は、径方向に対向したペアが同一角度で位置決めされるように位置する。更に、位置決定孔７２の中心は、ヘッド部材５０の中心から等距離に配置されていないが、各々が１８０°に亘って延びる二部分螺旋曲線上に配置され、よってヘッド部材５０上の傾斜調整プレート１００の位置の差を排除する。特定のパーセンテージの補償に対応する位置決定孔７２は、更に少ない程度の傾斜補償に対応した孔よりも大円孔５６の中心から遠い。
【００３７】
傾斜調整プレート１００は、図３と図４において最も良く示す。傾斜調整プレート１００は平面図において略円形である。平面領域としての上面１０２は、外方リング１０６に対して窪んだ中心の円形部分１０４を備える。傾斜調整プレート１００の中心には、小円孔１０８が形成される。図４に最も良く示すように、更に大きい直径の円形スカート１１０は、小円孔１０８を包含する傾斜調整プレート１００の下の凸面から垂下する。図９に最も良く示すように、円形スカート１１０の中心は、傾斜調整プレート１００の小円孔１０８の中心からオフセットされる。突出タブ１１２は、円形スカート１１０の下部から径方向外方に突出する。
【００３８】
ヘッド部材５０に対して傾斜調整プレート１００を固定し、風や衝撃などによる傾斜調整プレート１００の偶発的な取外しを防止するため、ネジ孔１１３が、傾斜調整プレート１００の上面１０２に設けられる。「ｔｅｋ」ネジなどが、ネジ孔１１３を通過してヘッド部材５０によって受容されること、つまりパイロット孔１１５に入ることが可能である（図５を参照）。これに代えて、ネジは、単にヘッド部材５０にネジ止めされることも可能である。
【００３９】
傾斜調整プレート１００の上面１０２は、十字溝１１４によって印を付けられる。十字溝１１４は、傾斜調整プレート１００の中心を通過する比較的浅い溝を交差させることによって形成される。十字溝１１４の各々の端部には、短片１１６が形成される。各々の短片１１６は、傾斜調整プレート１００の上面１０２の周縁を越えて径方向外方に突出する。各々の短片１１６は、ワイヤや糸を調整可能台座１０に結束するために通過可能な孔１１８を有する。短片１１６は、傾斜補償の程度を調整するために傾斜調整プレート１００を持上げるために使用できる。
【００４０】
１つの短片１１６には、矢印１２０と「上り傾斜」（ＵＰ  ＳＬＯＰＥ）という印が付けられる。使用時に矢印１２０は、地階の傾斜の上方を指し示すべきである。
傾斜調整プレート１００の上面には、多数（６個）の特定形状孔としての三角孔１２２が互いに離隔して形成される。各々の三角孔１２２は、三角ポスト７０を受容するような形状の三角形である。三角ポスト７０は、ヘッド部材５０から上方に突出し、且つ傾斜調整プレート１００とヘッド部材５０の相対的な向きに垂下し、６個の三角孔１２２のうちの１つに入る。本実施形態において傾斜補償の程度は、１％のインクリメントで０％から５％まであり、三角孔１２２は、傾斜補償の選択された程度を示すように「０」〜「５」まで番号を付けられる。三角ポスト７０は、最も好ましくは、傾斜調整プレート１００の色と対照をなす色である。
【００４１】
傾斜調整プレート１００の下には、円形スカート１１０の外方にバンド状に延びた凸状の第２部分球面１３０を有する。第２部分球面１３０は、連続的な面ではないが、交差した多数の円環と放射状リブの下縁部とによって構成される。このような構成は、排水と、
より単純な製造を可能にする。フランジ１４０は、第２部分球面１３０の外縁部から、凸状の第２追加部分球面１４２まで外方に延びる。第２追加部分球面１４２は、傾斜調整プレート１００の下の外縁部に位置する。第２追加部分球面１４２は、第２部分球面１３０と曲率中心が同一であるが、より大きな曲率半径を有する。
【００４２】
２つの径方向に対向した円筒の垂下ペグ１３２，１３４は、第２部分球面１３０から垂下する。一方の垂下ペグ１３４は、もう一つの垂下ペグ１３２よりも比較的幅が広い。
図６〜図１１は、組立状態のヘッドアセンブリを示し、その使用法を示す。特に図１０と図１１を参照して、傾斜調整プレート１００の円形スカート１１０は、ヘッド部材の中心における大円孔５６を通過する。突出タブ１１２と半円形スカート６８は、突出タブ１１２が半円形スカート６８の端部間の半円経路を移動する場合、装置が単にヘッド部材に対する傾斜補償器の１８０°回転を可能にする正確な向きで組立可能であることを保証する。突出タブ１１２が半円形スカート６８に達する場合、更なる回転は、半円形スカート６８に接する突出タブ１１２によって防止される。これは図９に最も良く見られる。
【００４３】
本実施形態のヘッドアセンブリは、１％のインクリメント毎に、０％（図７）から５％（図８）までの傾斜補償の程度に対応した６つの異なる向きで配置可能である。傾斜補償の程度は、互いに対向する位置決定孔７２の対（ペア）になるように、どの位置決定孔７２に垂下ペグ１３２，１３４が挿入されるかによって決定される。上で議論したように、調整可能台座１０の垂直軸に対する位置決定孔７２の互いに対向するペア間の中心軸の角度は、傾斜補償の必要な程度を提供する軸から僅かに相違する。垂下ペグ１３２よりも幅の広い垂下ペグ１３４もまた、組立不具合を防止するのを助ける。三角孔１２２は、三角ポスト７０が適切な三角孔１２２に現われる場合、どの程度の傾斜補償が提供されるかを示す。図７は０％の傾斜補償を示す。図８は５％の傾斜補償を示す。傾斜補償の程度を調整するために、オペレータは、傾斜調整プレート１００の小円孔１０８に指たとえば親指を挿入するか、または短片１１６を持上げ、突出タブ１１２が偶発的な取外しを防止すると共に、傾斜補償の所望の程度を示す適切な三角孔１２２の下に突起が位置するまで、単に傾斜調整プレート１００を回転させ、垂下ペグ１３２，１３４が位置決定孔７２の正しいペアに入るべき時に傾斜調整プレート１００を下降させる。有利には、どのような傾斜補償の程度が提供されても、「上り傾斜」矢印１２０は、傾斜の反対方向を常に指し示す。
【００４４】
記述される実施形態に対する多数の変形が可能である。たとえば０％〜５％の傾斜補償が、記述された例において提供されるが、当然のことながら、言わば１４個の孔がヘッド部材５０の中心凹状領域に提供される０％〜６％の補償を生じさせることが可能であるか、または０％〜１０％以上のような更に大きい補償の程度を生じさせることが可能である。
【００４５】
上述したような調整可能台座１０は、水平な台座床を生成するために傾斜した地階と地下に対して使用されるのに特に適するが、当然のことながら、水平な地階上の水平な上昇床を生成するためにそれが使用されることも可能であり、その場合、傾斜調整プレート１００は、０％の傾斜補償に設定される。これに代えて、水平な地階（地下）の上面で傾斜する台座床を生成するために調整可能台座１０を使用することもできる。
【００４６】
図１２は、調整可能な調整可能台座１０を通じた区画を示す。その図を参照して、傾斜調整プレート１００、および随意に、ヘッド部材５０が取外される場合、調整可能台座１０は実質的に中空であり、材料が調整可能台座１０に入る調整可能台座１０の開放上面から、基部プレート１４までの実質的な自由経路を伴っていることが見られることができる。これは第１スペーサ要素２０や第２スペーサ要素３０の内部が開放され、最も狭い部分の直径が依然として約８０ｍｍであるという構成によって部分的に可能とされる。これは
小石、硬い岩、または他の適切な材料のようなバラストで調整可能台座１０を充填することを可能にする。これは調整可能台座１０の重量を増加させる必要がある場合、たとえばそれらが水に浸されるか、または浸される可能性がある場合に、特に有利である。更に、それは調整可能台座１０の強度重量と耐久性を増加させるために、調整可能台座１０をコンクリートで充填する可能性を許容する。図１２ａは、バラストを岩２００の形態で包含した調整可能台座１０を示す。コンクリート２１０を充填された調整可能台座１０が、図１２ｂに示す。
【００４７】
当然のことながら、当業者によっては、多くの変形または修正が、広く記述された本発明の精神または範囲から逸脱せずに特定の実施形態に示すように本発明になされることが可能である。従って本実施形態は、例示としてすべての点で考慮されるものであり、限定されるものではない。
【図面の簡単な説明】
【００４８】
【図１】本発明を具現化する高さ調整可能台座の斜視図。
【図２ａ】図１の高さ調整可能台座の一側および上から見た分解図。
【図２ｂ】図１の高さ調整可能台座の一側および下から見た分解図。
【図３】高さ調整可能台座の傾斜調整プレートの上面の斜視図。
【図４】図３の傾斜調整プレートの下面の斜視図。
【図５】図１の台座のヘッド部材の上面の斜視図。
【図６】図３の傾斜調整プレートと図５のヘッド部材とを含むヘッドアセンブリの、上から見た斜視図。
【図７】０％補償を示す図６のヘッドアセンブリの側面図。
【図８】５％傾斜補償を示す図６のヘッドアセンブリの側面図。
【図９】図６〜図８のヘッドアセンブリの下面図。
【図１０】敷石スペーサを更に示す、ヘッドアセンブリの断面図。
【図１１】図１０の傾斜調整プレートとヘッド部材の分解斜視図。
【図１２】本発明を具現化した台座の断面斜視図。
【図１２ａ】バラストを含む台座の断面斜視図。
【図１２ｂ】コンクリートを含む台座の断面斜視図。
【図１】
2009513848.tif 000003
【図２ａ】
2009513848.tif 000004
2009513848.tif 000005
【図３】
2009513848.tif 000006
【図４】
2009513848.tif 000007
【図５】
2009513848.tif 000008
【図６】
2009513848.tif 000009
【図７】
2009513848.tif 000010
【図８】
2009513848.tif 000011
【図９】
2009513848.tif 000012
【図１０】
2009513848.tif 000013
【図１１】
2009513848.tif 000014
【図１２】
2009513848.tif 000015
【図１２ａ】
2009513848.tif 000016
【図１２ｂ】
2009513848.tif 000017
【国際調査報告】
2009513848.tif 000018
2009513848.tif 000019
2009513848.tif 000020
2009513848.tif 000021
2009513848.tif 000022